(57)【要約】      （修正有）【課題】構成部品が少なく使用方法が簡便でありながら、必要に応じて安定して背負うことが可能となるバッグを提供する。【解決手段】片側の持ち手を２本以上設置し、該持ち手のうち少なくとも１本の付け根部の一方が着脱可能な構造であり、該付け根部を取り外してバック底部の固定された付け根部と同じ側に設置された同様の着脱可能な構造部に取り付けることによってショルダーベルトとなる、また、同じ側に設置された他の持ち手のうち少なくとも１本を上記片方の付け根部が着脱可能な構造である持ち手と対称を成して設置し、前述のショルダーベルトと併せて左右のショルダーベルトを構成させることが可能であることを特徴とする。左右のショルダーベルトとしても使用可能な２本以上の持ち手を設置した側と対向するバッグの上端または側面に持ち手を有し、手提げ使用時にも安定して使用することが可能である。【選択図】図１
0003150745.tif 000002
【実用新案登録請求の範囲】
【請求項１】
対向する面の一方の上端または側面に２本以上の持ち手を有するバッグであって、該持ち手のうち少なくとも１本の付け根部の一方がバッグ本体に固定され、もう一方の付け根部が着脱可能な構造であり、着脱可能な付け根部を取り外してバック底部の固定された付け根部と同じ側に設置された同様の着脱可能な構造部に取り付けることによって、ショルダーベルトとなること。同じ側に設置された他の持ち手のうち少なくとも１本が、上記片方の付け根部が着脱可能な構造である持ち手と対称を成して設置されており、同様にショルダーベルトとなることで、前述のショルダーベルトと併せて左右のショルダーベルトを構成させることにより、手提げバッグを必要に応じて安定して背負うことも可能であることを特徴とするバッグ。
【請求項２】
上記請求項１に記載のバッグであって、左右のショルダーベルトとしても使用可能な２本以上の持ち手を設置した側と対向する面のバッグの上端または側面に持ち手を有し、手提げ使用時にも安定して使用することが可能であることを特徴とするバッグ。
【考案の詳細な説明】
【技術分野】
【０００１】  本考案は、片側の上端または側面に、一方の付け根部が着脱可能な持ち手を対称に設置し、それらの持ち手の取り外し端部をバッグ底部に設置された同様の着脱可能な構造部に取り付けることによって、安定して背負うことが容易に出来るものとしたバッグに関する。
【背景技術】
【０００２】  従来より、対向する側面に設置された各持ち手の付け根の一方を取り外し可能な構造として、持ち手にショルダーベルトとしての機能を付与し背負うことが可能なバッグが考案されている。（特許文献１）【０００３】  また従来より、３ウェイバッグや手提げ用の持ち手を具備したリュックサックなど、手提げ使用と背負い使用が可能なバッグが販売されている。
【特許文献１】実用新案登録第３０５９８１３号
【考案の開示】
【考案が解決しようとする課題】
【０００３】  特許文献１の考案では、対向する側面の持ち手を使用して左右のショルダーベルトを構成させる。このため上端部の固定位置が対向する側面に分離されていることにより、バッグのマチ幅が大きい場合などにおいて、左右のショルダーベルトの上部（頭側）の起点位置が背中から同じ距離とならない、バッグの対向する側面の上端部の平行が保たれないなど、安定して背負うことが困難であったり、美観が損なわれるという欠点があった。【０００４】  また、従来より販売されている３ウェイバッグや手提げ用の持ち手を具備したリュックサックなどでは、持ち手とショルダーベルトが別々に設置されていた。このためバッグの構成部品が多くなり、バッグの重量、コストなどが増加するとともに使用方法が複雑であったり、手提げ使用時には、ショルダーベルトが露出したままとなるため、他の歩行者の荷物等に引っかかったり美観が損なわれるなどの欠点があった。【０００５】  このようなことから本考案が解決しようとする課題（技術的課題または目的）は、手提げバッグとして高い機能を有するとともに、持ち手をショルダーベルトとしても使用可能とすることで、構成部品が少なく使用方法が簡便でありながら、必要に応じて安定して背負うことが可能となるバッグを提供することである。
【課題を解決するための手段】
【０００６】  そこで、考案者は、上記課題を解決すべく、本考案を、片側の持ち手を２本以上設置し、該持ち手のうち少なくとも１本の付け根部の一方が着脱可能な構造であり、該付け根部を取り外してバック底部の固定された付け根部と同じ側に設置された同様の着脱可能な構造部に取り付けることによってショルダーベルトとなる、また、同じ側に設置された他の持ち手のうち少なくとも１本を上記片方の付け根部が着脱可能な構造である持ち手と対称を成して設置し、前述のショルダーベルトと併せて左右のショルダーベルトを構成させることが可能なバッグとしたことにより、上記課題を解決した。【０００７】  請求項２の考案は、請求項１の構成において、左右のショルダーベルトとしても使用可能な２本以上の持ち手を設置した側と対向するバッグの上端または側面に持ち手を有するバッグとしたことにより、上記課題を解決した。
【考案の効果】
【０００８】  請求項１によれば、バッグの同じ側の持ち手を左右のショルダーベルトとして機能させることができる。これにより、左右のショルダーベルトの、頭側の起点を背中から同じ距離に保つことが可能となるため、バッグのマチ幅が大きい場合や収納物が重い場合においても安定して背負うことができるものである。【０００９】  同様に、請求項１によれば、左右のショルダーベルトとしても機能させることができる持ち手をバッグの同じ側に集中したことにより、バッグ上端部の開口部をファスナーやホックなどの従来からある方法で閉じた場合においても、バッグの対向する上端部の平行を損なう応力が発生しないため、バッグのマチ幅が大きい場合や収納物が重い場合においても、美観を損なうことなく安定して背負うことができるものである。【００１０】  また、請求項１によれば、マチ幅が小さく、対向する側面にそれぞれ持ち手を設置しなくても手提げバッグとして使用可能なバッグの場合でも、２本以上の持ち手で保持することができるため、より安定して無理なくバッグを持ち運ぶことができるものである。【００１１】  請求項２によれば、左右のショルダーベルトとしても機能させることができる持ち手を設置した側面と対向する側面にも持ち手を設置することにより、手提げ使用時の安定性を向上させることができる。この場合少なくとも３本の持ち手を使用して手提げ使用することになり、対向する側面に２本の持ち手を設置した従来のバッグに比べて各持ち手にかかる重量が分散されることにより、マチ幅の大きなバッグとした場合や収納物が重い場合にも無理なくバッグを持ち運ぶことができるものである。
【考案を実施するための最良の形態】
【００１２】  以下、本考案の一実施形態を図面に基づいて説明する。本考案は、図１及び図２に示すように、主にバッグ本体部１、右側ショルダーベルトとしても使用可能な持ち手（持ち手２）、左側ショルダーベルトとしても使用可能な持ち手（持ち手３）、対向する側面の持ち手（持ち手４）、右側上部着脱可能な構造部（構造部５）、左側上部着脱可能な構造部（構造部６）、右側底部着脱可能な構造部（構造部７）、左側底部着脱可能な構造部（構造部８）及び、中心をホックで留めることができるサイドポケット（サイドポケット９）から構成されている。【００１３】  このバッグ本体部１は、布地、皮革、ナイロン、合成樹脂、金属等の従来よりバッグ、スーツケース及びアタッシュケース等に使用されている素材で形成されている。【００１４】  バッグ本体部１は、図１に示すように、手提げまたは肩掛けタイプのバッグとして使用できる。【００１５】  そして、バッグ本体部１には、図１に示すように、持ち手２、持ち手３、持ち手４が設けられている。各々の持ち手は、手に提げるのに適切なループ状をなしており、手に持つことが容易にできるものである。具体的には、持ち手２及び持ち手３はバッグ本体部１の同じ側に、その対向する側に持ち手４がそれぞれ装着されており、バッグ本体部１の上方に略逆Ｕ字形状に設けられている。
なお、持ち手２の構造部６との着脱部分を２ａ、持ち手３の構造部５との着脱部分を３ａと称する。【００１６】  またバッグ本体部１には、図１に示すように、構造部５、構造部６、構造部７、構造部８が設けられている。これらの構造部はそれぞれ着脱部分２ａ、着脱部分３ａと着脱することが容易にできるものである。具体的には、例えば着脱部分２ａ、着脱部分３ａに凸バックルを装着し、着脱可能な構造部５、６、７、８に凹バックルを装着する。【００１７】  バッグ本体部１には、図２に示すように、持ち手４と同じ側面にサイドポケット９が設けられている。具体的には、サイドポケット９は携帯バッグ本体部１と同じ幅で設けられておりポケット上端部の中心にホックが設置されている。【００１８】  バッグ本体部１は、図３、図４に示すように、背負いタイプのバッグとして使用できる。【００１９】  本実施形態に述べる構成のバッグを、背負って使用する場合は、着脱部分２ａを構造部６から取り外して構造部７に装着する。次に、着脱部分３ａを構造部５から取り外して構造部８に装着する。最後に、持ち手４をサイドポケット９に入れホックを留める。
【図面の簡単な説明】
【００２０】
【図１】本考案の斜視図である。
【図２】本考案の図１の反対側から見た斜視図である。
【図３】本考案の背負う場合の斜視図である。
【図４】本考案の図３の反対側から見た斜視図である。
【符号の説明】
【００２１】  １    バッグ本体部
２    右側ショルダーベルトとしても使用可能な持ち手
２ａ  着脱部分
３    左側ショルダーベルトとしても使用可能な持ち手
３ａ  着脱部分
４    対向する側面の持ち手
５    右側上部着脱可能な構造部
６    左側上部着脱可能な構造部
７    右側底部着脱可能な構造部
８    左側底部着脱可能な構造部
９    中心をホックで留めることができるサイドポケット
【図１】
0003150745.tif 000003
【図２】
0003150745.tif 000004
【図３】
0003150745.tif 000005
【図４】
0003150745.tif 000006
【手続補正書】
【提出日】平成21年2月26日(2009.2.26)
【手続補正１】
【補正対象書類名】実用新案登録請求の範囲
【補正対象項目名】請求項１
【補正方法】変更
【補正の内容】
【請求項１】
対向する面の一方の上端または側面に２本以上の持ち手を有するバッグであって、該持ち手のうち少なくとも１本の付け根部の一方がバッグ本体に固定され、もう一方の付け根部が着脱可能な構造であり、着脱可能な付け根部を取り外してバック底部の固定された付け根部と同じ側に設置された同様の着脱可能な構造部に取り付けることによって、ショルダーベルトとなり、また、同じ側に設置された他の持ち手のうち少なくとも１本が、上記片方の付け根部が着脱可能な構造である持ち手と対称を成して設置されており、同様にショルダーベルトとなることで、前述のショルダーベルトと併せて左右のショルダーベルトを構成させることにより、手提げバッグを必要に応じて安定して背負うことも可能とすることを特徴とするバッグ。